(57)【要約】【課題】頭髪や頭皮を傷めることなく、乾燥、カール掛け、くせ毛伸ばし等の整形作業を簡単かつ能率よく行う。【解決手段】家庭用または業務用の整髪装置において、使用者が手に持つハンドル１２に、頭髪を梳く５本の髪梳き筒１７を開閉可能に設ける。ヘアードライヤーとして使用する場合は、ハンドル１２に送風器と第１ヒータを内蔵し、第１ヒータで熱風を作り、送風器により熱風を髪梳き筒１７の吹出口１８から吹き出し、一度に多量の頭髪を乾かす。ヘアーアイロンとして使用する場合は、ハンドル１２に送風器を内蔵し、髪梳き筒１７に第２ヒータを挿入し、隣接する髪梳き筒１７の間に頭髪を挟み、第２ヒータの熱で頭髪にカールを掛け、吹出口１８からの冷風でくせ付けをする。【選択図】図１
2018089366.tif 000002
【特許請求の範囲】
【請求項１】
使用者が手に持つハンドルと、頭髪を梳く少なくとも３つの髪梳き筒と、髪梳き筒の内側に風を送る送風器とを備え、前記各髪梳き筒に送風器からの風を頭髪に向けて吹き出す吹出口が形成されていることを特徴とする整髪装置。
【請求項２】
前記少なくとも３つの髪梳き筒が相互に開閉可能に設けられ、前記ハンドルが各髪梳き筒を開閉するための操作部材を備えた請求項１記載の整髪装置。
【請求項３】
前記吹出口より上流側で熱風を作る第１ヒータを備えた請求項１又は２記載の整髪装置。
【請求項４】
前記髪梳き筒を発熱させる第２ヒータを備えた請求項１〜３の何れか一項に記載の整髪装置。
【請求項５】
使用者が手に持つハンドルと、頭髪を梳く複数の髪梳き筒と、髪梳き筒の内側に風を送る送風器と、ハンドルに交換可能に取り付けられる第１および第２アダプターとを備え、前記各髪梳き筒に送風器からの風を頭髪に向けて吹き出す吹出口が形成され、前記第１アダプターが少なくとも３つの第１髪梳き筒を相互に開閉可能に支持するとともに、前記吹出口より上流側で熱風を作る第１ヒータを装備し、前記第２アダプターが少なくとも３つの第２髪梳き筒を相互に開閉可能に支持するとともに、各第２髪梳き筒を発熱させる第２ヒータを装備し、前記ハンドルが第１髪梳き筒または第２髪梳き筒を開閉するための操作部材を備えたことを特徴とする整髪装置。
【請求項６】
前記髪梳き筒の長手軸線が頭皮の丸みに合わせて湾曲している請求項１〜５の何れか一項に記載の整髪装置。
【請求項７】
前記髪梳き筒の側面に、隣接する髪梳き筒との間に頭髪を挟み着ける挟着部が突設されている請求項１〜６の何れか一項に記載の整髪装置。
【請求項８】
前記送風器からの冷風を髪梳き筒の下側に吹き出す冷風吹出口を備えた請求項１〜７の何れか一項に記載の整髪装置。
【請求項９】
前記髪梳き筒の外周面に、頭髪を仕分ける鍔部が髪梳き筒の長手軸線方向に複数配列されている請求項１〜８の何れか一項に記載の整髪装置。
【請求項１０】
前記ハンドルに、左右に複数本の髪梳き筒が上下に複数段支持されている請求項１〜９の何れか一項に記載の整髪装置。
【請求項１１】
上段の髪梳き筒と下段の髪梳き筒を互いに反対方向へ平行運動させる機構を備えた請求項１０記載の整髪装置。
【発明の詳細な説明】
【技術分野】
【０００１】
本発明は、頭髪を乾燥させたり整形したりするための家庭用または業務用の整髪装置に関する。
【背景技術】
【０００２】
この種の整髪装置として、従来、熱風により頭髪を乾かすヘアードライヤーが知られている。例えば、特許文献１のヘアードライヤーは、イオン発生器を内蔵し、使用時に熱風吹出口からマイナスイオンを放出し、使用者の頭皮や顔面に湿潤効果を与えるように構成されている。
【０００３】
頭髪を整形する装置としては、従来、一対の発熱部材で髪にカールを掛けたり、くせ毛を伸ばしたりするヘアーアイロンが知られている。例えば、特許文献２のヘアーアイロンは、開閉可能な２本のアームに発熱部材を設け、発熱部材の加熱面を斜状に形成し、使用者が見栄えの良いカールを簡単に加工できるように構成されている。
【先行技術文献】
【特許文献】
【０００４】
【特許文献１】特開２００４−１６６９３２号公報
【特許文献２】特開２０１４−２１７７４８号公報
【発明の概要】
【発明が解決しようとする課題】
【０００５】
ところが、従来のヘアードライヤーによると、広範囲の頭髪に熱風を吹き付けているので、頭髪の付け根部まで十分に乾かそうとすると、長時間の熱風で頭髪の表層部や頭皮を傷めたりするおそれがあった。また、従来のヘアーアイロンによると、２本のアームで整形しているため、頭髪全体を整形するために長時間を要し、特に作業後期の仕上がりが不十分になるという問題点があった。
【０００６】
そこで、本発明の目的は、頭髪や頭皮を傷めることなく、乾燥や整形作業を簡単かつ能率よく行うことができる整髪装置を提供することにある。
【課題を解決するための手段】
【０００７】
上記課題を解決するために、本発明の整髪装置は、使用者が手に持つハンドルと、頭髪を梳く少なくとも３つの髪梳き筒と、髪梳き筒の内側に風を送る送風器とを備え、各髪梳き筒に送風器からの風を頭髪に向けて吹き出す吹出口が形成されていることを特徴とする。
【０００８】
本発明の好ましい実施形態では、少なくとも３つの髪梳き筒が相互に開閉可能に設けられ、ハンドルが各髪梳き筒を開閉するための操作部材を備える。
【０００９】
ヘアードライヤーとして使用する場合は、整髪装置が吹出口より上流側で熱風を作る第１ヒータを備える。ヘアーアイロンとして使用する場合は、整髪装置が髪梳き筒を発熱させる第２ヒータを備える。
【００１０】
また、本発明の整髪装置は、ヘアードライヤーとしてもヘアーアイロンとしても使用できるように、使用者が手に持つハンドルと、頭髪を梳く複数の髪梳き筒と、髪梳き筒の内側に風を送る送風器と、ハンドルに交換可能に取り付けられる第１および第２アダプターとを備え、各髪梳き筒に送風器からの風を頭髪に向けて吹き出す吹出口が形成され、第１アダプターが少なくとも３つの第１髪梳き筒を相互に開閉可能に支持するとともに、吹出口より上流側で熱風を作る第１ヒータを装備し、第２アダプターが少なくとも３つの第２髪梳き筒を相互に開閉可能に支持するとともに、各第２髪梳き筒を発熱させる第２ヒータを装備し、ハンドルが第１髪梳き筒または第２髪梳き筒を開閉するための操作部材を備えたことを特徴とする。
【００１１】
本発明の整髪装置は、熟練者でなくても頭髪を見栄えよく仕上げることができるように、幾つかの特徴的な髪梳き筒を備える。例えば、髪梳き筒をその長手軸線が頭皮の丸みに合わせて湾曲するように弓形に成形することができる。髪梳き筒の側面に、隣接する髪梳き筒との間に頭髪を挟み着ける挟着部を突設してもよい。好ましくは、挟着部を髪梳き筒の長手軸線に沿って長く形成することができる。
【００１２】
さらに、送風器からの冷風が髪梳き筒の下側に向かって吹き出すように、髪梳き筒またはハンドルの端面に、送風器からの冷風を髪梳き筒の下側に吹き出す冷風吹出口を形成してもよい。整髪作業の能率をよくするために、左右に複数本の髪梳き筒を上下に複数段並べてハンドルに支持することもできる。この場合、上段の髪梳き筒と下段の髪梳き筒を互いに左右反対方向へ平行運動させる機構を設けることもできる。
【発明の効果】
【００１３】
本発明の整髪装置によれば、複数の髪梳き筒に形成された吹出口から風を頭髪に向けて吹き出すように構成したので、３本またはそれ以上の髪梳き筒を頭髪深くまで差し込み、頭髪や頭皮を傷めることなく、整髪作業を簡単かつ能率よく実施できるという効果がある。
【図面の簡単な説明】
【００１４】
【図１】本発明の一実施形態を示す整髪装置の外観斜視図である。
【図２】ヘアードライヤーとしての使用状態を示す整髪装置の要部破断平面図である。
【図３】髪梳き筒を閉じた状態のヘアードライヤーを示す要部破断平面図である。
【図４】ヘアードライヤーの作用を示す図２のＡ−Ａ線、図３のＢ−Ｂ線断面図である。
【図５】ヘアーアイロンとしての使用状態を示す整髪装置の要部破断平面図である。
【図６】ヘアーアイロンの作用を示す髪梳き筒の断面図である。
【図７】ヘアードライヤーおよびヘアーアイロン兼用型の整髪装置を示す平面図である。
【図８】ドライヤーユニットとアイロンユニットを交換可能に備えた整髪装置を示す平面図である。
【図９】髪梳き筒の変更例を示す斜視図および断面図である。
【図１０】髪梳き筒の別の変更例を示す斜視図である。
【図１１】図１０の髪梳き筒の作用を示す側面図である。
【図１２】図１１のＣ−Ｃ線断面図である。
【図１３】本発明の別の実施形態を示す整髪装置の外観斜視図である。
【図１４】図１３の整髪装置の作用を示す断面図である。
【発明を実施するための形態】
【００１５】
以下、本発明による整髪装置の幾つかの実施形態を図面に基づいて説明する。図１〜図４は、本発明をヘアードライヤーに具体化した実施例１を示す。図５、図６は、本発明をヘアーアイロンに具体化した実施例２を示す。図７は、本発明をヘアードライヤー・ヘアーアイロン兼用型の整髪装置に具体化した実施例３を示す。図８は、ドライヤーユニットとアイロンユニットを交換可能に備えた実施例４の整髪装置を示す。図９は髪梳き筒の変更例を示す。図１０〜図１２は湾曲した髪梳き筒を備えた実施例５の整髪装置を示す。図１３，図１４は９本の髪梳き筒を備えた実施例６の整髪装置を示す。各実施例において、同一または類似する構成要素は図面に同じ符号で示されている。
【実施例１】
【００１６】
図１〜図４に示すように、実施例１のヘアードライヤー１１は使用者が手に持つハンドル１２を備え、ハンドル１２の内部に送風器１３とコイルヒータ１４（第１ヒータ）が設置され、ハンドル１３の外面に送風器１３およびコイルヒータ１４の運転および停止を切り替えるためのスイッチ１５が設けられている。ハンドル１３の基端には空気取込口１６が形成され、ハンドル１３の先端に頭髪を梳く５本の髪梳き筒１７が取り付けられている。
【００１７】
各髪梳き筒１７はアルミニウム等の金属材料または耐熱プラスチック材料で断面略長方形のパイプ状に形成され（図４参照）、左右両側面と上面に送風器１３からの風を頭髪に向けて吹き出す吹出口１８がパイプ軸線方向に複数個開けられている。髪梳き筒１７の基端は弾性材料からなる支持部材１９に支持され、髪梳き筒１７の先端に頭皮を保護するためのキャップ２０が装着されている。５本のうち中央の髪梳き筒１７ｃ（図２参照）は支持部材１９に固定され、左右４本の髪梳き筒１７ａ，１７ｂ，１７ｄ，１７ｅがピン２１で支持部材１９に枢着され、５本の髪梳き筒１７が相互に開閉可能に設けられている。
【００１８】
ハンドル１２は髪梳き筒１７を開閉する操作部材としての左右一対のアーム２２を備え、その基端がハンドル１２に軸着され、先端が左右両側の髪梳き筒１７ａ，１７ｅに当接している。アーム２１とハンドル１２の間には、アーム２１を開く方向へ付勢するためのスプリング２３が介装され、使用者が手でアーム２２を閉じたときに、支持部材１９の弾性に抗して髪梳き筒１７が閉鎖状態となり（図３参照）、使用者がアーム２２から手を離したときに、支持部材１９自身の弾性によって髪梳き筒１７が開放状態となる（図２参照）。
【００１９】
上記ヘアードライヤー１１を用いて頭髪を乾かす場合には、まず、スイッチ１５をＯＮにし、送風器１３とコイルヒータ１４に通電し、コイルヒータ１４により吹出口１８より上流側のハンドル１２内で熱風を作り、この熱風を送風器１３で髪梳き筒１７の内側に送り込む。次に、図４（ａ）に示すように、髪梳き筒１７を開放状態で頭髪Ｈの付け根近くまで差し込み、一梳き分の頭髪Ｈを隣接する髪梳き筒１７の間に分配する。続いて、図４（ｂ）に示すように、髪梳き筒１７を閉じ、頭髪Ｈを隣接する髪梳き筒１７の間に挟み、吹出口１８からの熱風Ｗで乾かしつつ頭髪Ｈを髪梳き筒１７で梳く。こうすれば、一度に多量の頭髪を付け根部から先端まで短時間に乾かし、頭髪Ｈや頭皮に与えるダメージを軽減することができる。また、吹出口１８が髪梳き筒１７の側面と上面に開口しているので、熱風Ｗが頭皮に当たる心配もない。
【実施例２】
【００２０】
実施例２のヘアーアイロン３１は、実施例１のヘアードライヤー１１と同様の外観を呈している（図１参照）。図５、図６に示すように、ハンドル１２の内部には送風器１３と回路基板３２が設置されている。５本の髪梳き筒１７の内側には、それぞれロッドヒータ３３（第２ヒータ）が挿入され、リード線３４で回路基板３２に電気的に接続されている。そして、通電時に、ロッドヒータ３３からの伝熱で髪梳き筒１７が発熱するようになっている。その他の構成は実施例１と同様である。
【００２１】
ヘアーアイロン３１の使用にあたっては、まず、スイッチ１５で送風器１３とロッドヒータ３３に通電し、髪梳き筒１７を発熱させ、冷風を髪梳き筒１７内に送り込む。次に、図６（ａ）に示すように、開放状態の髪梳き筒１７を頭皮近くまで差し込み、一梳き分の頭髪Ｈを隣接する髪梳き筒１７の間に分配する。続いて、図６（ｂ）に示すように、髪梳き筒１７を閉じ、頭髪Ｈを隣接する髪梳き筒１７の間に挟み、髪梳き筒１７の熱で頭髪Ｈを軟化させる。この状態で、ハンドル１２を適宜角度で回転し、屈曲した頭髪Ｈに吹出口１８からの冷風Ｃを当て、冷却により頭髪Ｈにくせ付けをしつつ、髪梳き筒１７を頭皮から離して頭髪Ｈを梳き上げる。こうすれば、美しいカールを容易に加工できるとともに、頭髪Ｈの付け根部を頭皮から起立させ、頭髪全体を豊かなボリュームで短時間かつ均一に仕上げることができる。
【実施例３】
【００２２】
図７に示すように、実施例３の整髪装置４１は、ヘアードライヤー機能とヘアーアイロン機能の両方を兼備している。ハンドル１２の内部には送風器１３、回路基板３２およびコイルヒータ１４（第１ヒータ）が設置され、５本の髪梳き筒１７の内側にロッドヒータ３３（第２ヒータ）が挿入されている。そして、ハンドル１２の外面にコイルヒータ１４またはロッドヒータ３３を選択的に動作させるための切替スイッチ５８（図８参照）が設けられ、コイルヒータ１４の通電時に、送風器１３により熱風を吹出口１８から吹き出して頭髪を乾燥させ、ロッドヒータ３３の通電時に、髪梳き筒１７の発熱と送風器１３からの冷風とで頭髪にカールを掛けたり、くせ毛を伸ばしたりする加工を一つの安価な装置によって容易に行うことができるようになっている。
【実施例４】
【００２３】
図８に示すように、実施例４の整髪装置５１は、ドライヤーユニット５２とアイロンユニット５３を交換可能に装備している。ドライヤーユニット５２はハンドル１２に着脱される第１アダプター５４を備え、第１アダプター５４に５本の第１髪梳き筒５５が開閉可能に支持されるとともに、コイルヒータ１４（第１ヒータ）が装備されている。アイロンユニット５３はハンドル１２に着脱される第２アダプター５６を備え、第２アダプター５６に５本の第２髪梳き筒５７が開閉可能に支持され、第２髪梳き筒５７内にロッドヒータ３３（第２ヒータ）が挿入されている。そして、ハンドル１２に第１または第２髪梳き筒５５，５７を開閉するためのアーム２２と、２つのユニット５２，５３を切り替えるための切替スイッチ５８と、アダプター５４，５６のソケット６０，６１に接続されるコネクタ５９とが設けられている。したがって、実施例４によれば、ハンドル１２および送風器１３を共用できるとともに、ドライヤーユニット５２とアイロンユニット５３を交換して使用することができる。
【００２４】
なお、本発明は、上記実施形態に限定されるものではなく、例えば、図９に示すように、熱風および冷風の吹出口１８を髪梳き筒１７の左右両側面に格子状に形成したり、髪梳き筒の本数を３本、７本またはそれ以上に変更したり、髪梳き筒の断面形状を円形、楕円形、多角形など任意に変更したりするなど、発明の趣旨を逸脱しない範囲で、各部の構成を適宜変更して実施することも可能である。
【実施例５】
【００２５】
図１０〜図１２に示す実施例５の整髪装置７１は、４本の髪梳き筒１７から吹き出した熱風で頭髪Ｈを乾かすヘアードライヤーとして機能する。各髪梳き筒１７は、その長手軸線が頭皮Ｓの丸みに応じた曲率で湾曲するように弓形に成形されている。髪梳き筒１７の側面には、ヒータ１４（図２参照）によって加温された熱風Ｗを吹き出す複数の熱風吹出口１８と、隣り合う髪梳き筒１７との間に頭髪Ｈを挟み着ける複数の挟着部７３（図１２参照）とが髪梳き筒１７の高さ方向へ交互に形成されている。挟着部７３は、梳き取った頭髪Ｈを強力に挟み着けるために、断面が三角形で、髪梳き筒１７の長手軸線に沿って細長く形成されている。そして、各髪梳き筒１７の下端部には、送風器１３（図２参照）からの冷風Ｃを吹き出す冷風吹出口７２が髪梳き筒１７の長手軸線方向へ複数個形成され、冷風Ｃを髪梳き筒１７の下側に供給して、使用者の頭皮Ｓを冷却するようになっている。
【００２６】
したがって、実施例５の整髪装置７１によれば、髪梳き筒１７で頭髪Ｈに強いテンションを効かせた状態でくせ毛を引き伸ばし、熱風Ｗを吹出口１８から隅々まで行き渡らせて、頭髪Ｈを素早く乾かすことができる。このとき、冷風Ｃが吹出口７２から頭髪Ｈの根本部分に吹き付けられるため、頭皮Ｓから起立した状態の頭髪Ｈを早期に冷ましてくせを付け、全体的にボリュームに富んだ髪型が得られる。また、髪梳き筒１７が弓形に成形されているため、熟練していないユーザであっても、頭皮Ｓと髪梳き筒１７との間隔を常時ほぼ一定に保ち、均等な仕上がりの髪型を容易に加工することもできる。
【実施例６】
【００２７】
図１３，図１４に示す実施例６の整髪装置８１は、ウエーブ加工に好ましく使用できるヘアードライヤーであって、左右に３本、上下に３段、合計９本の髪梳き筒１７がハンドル１２に支持されている。図１３に示すように、ハンドル１２は、左右一対のアーム２２１，２２２を互いに平行な状態で開閉可能に備え、両者の間に介在するスプリング２３によって開放方向へ付勢されている。アーム２２１，２２２の先端部内側には上下３段のホルダ８３が左右に摺動可能に重ね合され、それぞれのホルダ８３に３本の髪梳き筒１７が等間隔を空けて保持されている。各髪梳き筒１７は、アルミ等の軽量金属材料で細長い筒形に成形され、その外周面に多数の鍔部８２が髪梳き筒１７の長手軸線方向へ等間隔で一体的に突設され、隣接する鍔部８２の間の周壁に複数の熱風吹出口１８が形成されている。
【００２８】
図１４（ａ）に示すように、上段および下段のホルダ８３は第１アーム２２１に固定され、６本の髪梳き筒１７が第１アーム２２１と一体に移動する。中段のホルダ８３は第２アーム２２２に固定され、ホルダ８３およびアーム２２１，２２２によって中段３本の髪梳き筒１７を上段および下段の髪梳き筒１７に対して左右反対方向へ平行移動する機構が構成されている。そして、隣接する髪梳き筒１７の間に頭髪Ｈを梳き取った状態で、図１４（ｂ）に示すように、アーム２２１，２２２を閉じたときには、中段の髪梳き筒１７が上下の髪梳き筒１７の間に入り込み、３束の頭髪Ｈを屈曲させるようになっている。なお、ハンドル１２の前端面には、実施例５の冷風吹出口７２と同様に機能する冷風吹出口８４が形成されている。
【００２９】
したがって、実施例６の整髪装置８１によれば、３段の髪梳き筒１７の平行移動によって頭髪Ｈを屈曲させた状態で、ハンドル１２を持ち上げて頭髪Ｈを引き伸ばすことにより、ストレート髪にウエーブを加工したり、緩んでしまった現状のウエーブを形よく補修したりすることができる。このとき、９本の髪梳き筒１７が縦横に等間隔を空けて配列されているので、各部同じ程度の曲がり具合でウエーブを美しく加工することができる。また、髪梳き筒１７の外周に鍔部８２が等間隔で突設されているので、髪梳き筒１７の軸線方向の各部で頭髪Ｈをそれぞれ同量に仕分けして、全体的に均一なウエーブ加工を容易に行うことができる。さらに、９本の髪梳き筒１７で熱風Ｗを広範囲の頭髪Ｈの内部に充満させ、ウエーブを短時間に能率よく加工できるとともに、熱風Ｗで髪梳き筒１７を温め、頭髪Ｈを軟化させ、ウエーブを容易に定着させることができるうえ、冷風吹出口７２からの冷風Ｃで頭皮近くの温度を低下させ、過加熱を防止することもできる。
【符号の説明】
【００３０】
１１    ヘアードライヤー（実施例１）
１２    ハンドル
１３    送風器
１４    コイルヒータ（第１ヒータ）
１７    髪梳き筒
１８    吹出口
２２    アーム
３１    ヘアーアイロン（実施例２）
３３    ロッドヒータ
４１    整髪装置（実施例３）
５１    整髪装置（実施例４）
５２    ドライヤーユニット
５３    アイロンユニット
５４    第１アダプター
５５    第１髪梳き筒
５６    第２アダプター
５７    第２髪梳き筒
７１    整髪装置（実施例５）
７２    冷風吹出口
７３    挟着部
８１    整髪装置（実施例６）
８２    鍔部
８３    ホルダ
８４    冷風吹出口
【図１】
2018089366.tif 000003
【図２】
2018089366.tif 000004
【図３】
2018089366.tif 000005
【図４】
2018089366.tif 000006
【図５】
2018089366.tif 000007
【図６】
2018089366.tif 000008
【図７】
2018089366.tif 000009
【図８】
2018089366.tif 000010
【図９】
2018089366.tif 000011
【図１０】
2018089366.tif 000012
【図１１】
2018089366.tif 000013
【図１２】
2018089366.tif 000014
【図１３】
2018089366.tif 000015
【図１４】
2018089366.tif 000016